【手続補正書】
【提出日】平成22年12月16日(2010.12.16)
【手続補正１】
【補正対象書類名】特許請求の範囲
【補正対象項目名】全文
【補正方法】変更
【補正の内容】
【特許請求の範囲】
【請求項１】
ネットワークの会員に対して広告を表示するためのコンピュータ実行方法であって、方法は、
ネットワーク内の１又は複数のコミュニティを識別するステップと、
前記１又は複数のコミュニティにおける１又は複数のインフルエンサーを識別するステップと、
前記１又は複数のコミュニティの１又は複数の会員のプロフィールに、１又は複数の広告を配置するステップと
を具備し、前記コミュニティは、前記ネットワークの複数の会員を含むことを特徴とする方法。
【請求項２】
前記ネットワークに所属する複数の会員に関する情報を受信するステップをさらに具備し、
前記情報は、前記複数の会員のプロフィールのコンテンツ、及び、前記複数の会員間のリンクを含むことを特徴とする請求項１に記載の方法。
【請求項３】
前記１又は複数のコミュニティを識別するステップは、前記ネットワークの前記会員間に確立された前記リンクに基づき、会員をグループ化するステップを具備することを特徴とする請求項２に記載の方法。
【請求項４】
前記リンクは、第１会員と、前記ネットワークの１又は複数の会員を結び付けることを特徴とする請求項３に記載の方法。
【請求項５】
各リンクは重みを有することを特徴とする請求項３に記載の方法。
【請求項６】
前記複数の会員の前記プロフィールの前記コンテンツに基づき、コミュニティの前記複数の会員の１又は複数の共通の関心を識別するステップをさらに具備することを特徴とする請求項２に記載の方法。
【請求項７】
各コミュニティの前記会員間の前記リンクに基づき、前記１又は複数のコミュニティのそれぞれに所属する前記複数の会員をランク付けするステップをさらに具備することを特徴とする請求項２に記載の方法。
【請求項８】
前記インフルエンサーは、最高ランクを有する前記会員であることを特徴とする請求項７に記載の方法。
【請求項９】
前記ネットワークはオンラインソーシャルネットワークを含むことを特徴とする請求項２に記載の方法。
【請求項１０】
前記プロフィールは、前記オンラインソーシャルネットワークをホストするサーバ上に格納された１又は複数のウェブページを含むことを特徴とする請求項９に記載の方法。
【請求項１１】
前記ネットワークの会員は、前記複数のコミュニティのうちの１又は複数に所属することを特徴とする請求項１に記載の方法。
【請求項１２】
前記１又は複数の広告は、前記１又は複数のインフルエンサーの前記プロフィール上にだけ配置されることを特徴とする請求項１に記載の方法。
【請求項１３】
ネットワークの会員に対して広告を表示するための広告サーバであって、前記広告サーバは、
１又は複数のコミュニティを識別し、かつ、
前記１又は複数のコミュニティにおける１又は複数のインフルエンサーを識別するように構成されたコミュニティ識別子と、
前記識別されたコミュニティの１又は複数の会員のプロフィール上に表示されるように、広告を格納するように構成された広告インベントリと
を備えることを特徴とする広告サーバ。
【請求項１４】
前記ネットワークに所属する前記複数の会員に関する情報を格納するように構成されたネットワークインベントリをさらに備え、
前記情報は、前記複数の会員のプロフィールのコンテンツ、及び、前記複数の会員間のリンクを含むことを特徴とする請求項１３に記載の広告サーバ。
【請求項１５】
前記コミュニティ識別子は、前記ネットワークの前記会員間に確立された前記リンクに基づき、会員をグループ化するようにさらに構成されることを特徴とする請求項１４に記載の広告サーバ。
【請求項１６】
前記リンクは、第１会員と、前記ネットワークの１又は複数の会員を結び付けることを特徴とする請求項１５に記載の広告サーバ。
【請求項１７】
各リンクは重みを有することを特徴とする請求項１５に記載の広告サーバ。
【請求項１８】
前記コミュニティ識別子は、前記複数の会員の前記プロフィールの前記コンテンツに基づき、コミュニティの前記複数の会員の１又は複数の共通の関心を識別するようにさらに構成されることを特徴とする請求項１４に記載の広告サーバ。
【請求項１９】
前記コミュニティ識別子は、各コミュニティの前記会員間の前記リンクに基づき、前記１又は複数のコミュニティのそれぞれに所属する前記複数の会員をランク付けするようにさらに構成されることを特徴とする請求項１４に記載の広告サーバ。
【請求項２０】
前記インフルエンサーは、最高ランクを有する前記会員であることを特徴とする請求項１９に記載の広告サーバ。
【請求項２１】
前記ネットワークはオンラインソーシャルネットワークを含むことを特徴とする請求項１４に記載の広告サーバ。
【請求項２２】
前記プロフィールは、前記オンラインソーシャルネットワークをホストするサーバ上に格納された１又は複数のウェブページを含むことを特徴とする請求項２１に記載の広告サーバ。
【請求項２３】
前記ネットワークの会員は、前記複数のコミュニティのうちの１又は複数に所属することを特徴とする請求項１３に記載の広告サーバ。
【請求項２４】
前記１又は複数の広告は、前記１又は複数のインフルエンサーの前記プロフィール上にだけ配置されることを特徴とする請求項１３に記載の広告サーバ。
【請求項２５】
ネットワークの会員に対して広告を表示するための広告サーバであって、前記広告サーバは、
１又は複数のコミュニティを識別し、かつ、
前記１又は複数のコミュニティにおける１又は複数のインフルエンサーを識別するための手段と、
前記識別されたコミュニティの１又は複数の会員のプロフィール上に表示されるように、広告を格納するための手段と
を備えることを特徴とする広告サーバ。
【請求項２６】
前記ネットワークに所属する前記複数の会員に関する情報を格納するための手段をさらに備え、
前記情報は、前記複数の会員のプロフィールのコンテンツ、及び、前記複数の会員間のリンクを含むことを特徴とする請求項２５に記載の広告サーバ。
【請求項２７】
１又は複数のコミュニティを識別し、かつ、
前記１又は複数のコミュニティにおける１又は複数のインフルエンサーを識別するための前記手段は、
前記ネットワークの前記会員間に確立された前記リンクに基づき、会員をグループ化するようにさらに構成されることを特徴とする請求項２６に記載の広告サーバ。
【請求項２８】
前記リンクは、第１会員と、前記ネットワークの１又は複数の会員を結び付けることを特徴とする請求項２７に記載の広告サーバ。
【請求項２９】
各リンクは重みを有することを特徴とする請求項２７に記載の広告サーバ。
【請求項３０】
１又は複数のコミュニティを識別し、かつ、
前記１又は複数のコミュニティにおける１又は複数のインフルエンサーを識別するための前記手段は、
前記複数の会員の前記プロフィールの前記コンテンツに基づき、コミュニティの前記複数の会員の１又は複数の共通の関心を識別するようにさらに構成されることを特徴とする請求項２６に記載の広告サーバ。
【請求項３１】
１又は複数のコミュニティを識別し、かつ、
前記１又は複数のコミュニティにおける１又は複数のインフルエンサーを識別するための前記手段は、
各コミュニティの前記会員間の前記リンクに基づき、前記１又は複数のコミュニティのそれぞれに所属する前記複数の会員をランク付けするようにさらに構成されることを特徴とする請求項２６に記載の広告サーバ。
【請求項３２】
前記インフルエンサーは、最高ランクを有する前記会員であることを特徴とする請求項３１に記載の広告サーバ。
【請求項３３】
前記ネットワークはオンラインソーシャルネットワークを含むことを特徴とする請求項２６に記載の広告サーバ。
【請求項３４】
前記プロフィールは、前記オンラインソーシャルネットワークをホストするサーバ上に格納された１又は複数のウェブページを含むことを特徴とする請求項３３に記載の広告サーバ。